(57)【要約】【課題】  螺着作業を必要とせず、組立が容易な電気機器収納箱を提供する。【解決手段】  箱本体の各面を構成する板体１を同一構造の板体とし、その板体１は周囲の各辺を１３５度折り曲げて帯片１０を形成し、更に４５度折り曲げて機器を取り付けるための取付片１１を設けた構造とした。各帯片１０の両端部を板体同士を連結する際に固定具７を装着するための連結片１２とし、箱本体はゴム製パッキンを挟み込んで帯片１０同士を重ね合わせて、固定具７で重ね合わせた連結片１２を挟持して固定することで組み立てを実施した。【選択図】  図１
2007158014.tif 000002
【特許請求の範囲】
【請求項１】
左右側板、底板、天板、背板によって電気機器を収納可能な箱本体を形成し、前面に扉を設けて開閉可能とした電気機器収納箱であって、
前記箱本体の各面を構成する板体は、夫々周囲各辺に、１３５度内側に折り曲げ形成されて板体同士を組み合わせた際に互いに重なり合う連結片を備えた矩形状又正方形状を成し、重なり合う一対の連結片同士を挟持手段により挟持することで、箱本体を組み立て可能としたことを特徴とする電気機器収納箱。
【請求項２】
各板体は、夫々周囲各辺に１３５度内側に折り曲げて全周に亘り連続形成した帯片を備え、前記帯片の一部を連結片とすると共に、帯片の先端部には更に内側へ４５度折り曲げて機器取り付けのための取付片を設けて成る請求項１記載の電気機器収納箱。
【請求項３】
板体同士を連結する際に弾性及び防水性を有する帯状弾性体を帯片と帯片の間に介在させる請求項２に記載の電気機器収納箱。
【請求項４】
連結片を板体の４隅に形成して成る請求項１乃至３の何れかに記載の電気機器収納箱。
【請求項５】
背板の４隅を連結する挟持手段は、３方に挟持部を備えた３叉構造を成し、同時に３枚の板体が連結可能である請求項４に記載の電気機器収納箱。
【発明の詳細な説明】
【技術分野】
【０００１】
本発明は、電気機器や電子機器を収納する電気機器収納箱に関し、詳しくは使用時に組み立て可能な電気機器収納箱に関する。
【背景技術】
【０００２】
配電用の電気機器を収納したり通信機器等の電子機器を収納する従来の電気機器収納箱の本体は、アングル枠等を溶接してフレームを形成し、その周囲各面に閉塞板を溶接やネジ止めにより取り付けて形成したり、金属板を折り曲げて背板及び側板等を連続形成し、天板や底板等をその金属板に溶接等により取り付けてフレームレスで形成し、開放された前面には扉を設けていた。
【０００３】
しかし、上記フレーム構造或いはフレームレス構造のものは、何れも組み立てた状態で工場出荷され、保管及び運搬は完成された状態で行われる。そのため、保管のために大きなスペースが必要であったし、運搬する際は効率が悪く一度に多くの収納箱を運搬することができなかった。
そのため、特許文献１に開示されているような収納箱が提案されている。これは、個々の板体の端部に折り曲げ面を設け、この折り曲げ面同士を螺着して連結する構造で、使用する現場で組み立て可能となっている。そのため、組み立てるまでは各板を重ねて保管でき、保管のスペースが僅かで済むし、運搬のコストも軽減できるものであった。
【０００４】
【特許文献１】特開２０００−１５２４３０号公報
【発明の開示】
【発明が解決しようとする課題】
【０００５】
しかしながら、上記特許文献１の構成は、分解した状態で運搬できるが、その場合設置現場での螺着組立作業が必要であり、設置作業に多くの時間が必要であったし、作業者への負担が大きかった。
そこで、本発明はこのような問題点に鑑み、螺着作業を必要とせず、組立が容易な電気機器収納箱を提供することを目的とする。
【課題を解決するための手段】
【０００６】
上記課題を解決する為に、請求項１の発明は、左右側板、底板、天板、背板によって電気機器を収納可能な箱本体を形成し、前面に扉を設けて開閉可能とした電気機器収納箱であって、前記箱本体の各面を構成する板体は、夫々周囲各辺に、１３５度内側に折り曲げ形成されて板体同士を組み合わせた際に互いに重なり合う連結片を備えた矩形状又正方形状を成し、重なり合う一対の連結片同士を挟持手段により挟持することで、箱本体を組み立て可能としたことを特徴とする。
この構成により、ネジ等の螺着手段を使用することなく挟持手段による挟持操作のみで箱本体を組み立てることができ、組み立てが容易である。また、背板や側板等の板体を同一の構成にできるので板体の共通化を図ることができ、部材の種類を削減できるし、ネジ等を使用しないので容易に分解可能に構成できる。
【０００７】
請求項２の発明は、請求項１に記載の発明において、各板体は、夫々周囲各辺に１３５度内側に折り曲げて全周に亘り連続形成した帯片を備え、前記帯片の一部を連結片とすると共に、帯片の先端部には更に内側へ４５度折り曲げて機器取り付けのための取付片を設けて成ることを特徴とする。
この構成により、箱体を作製する際、帯片同士が重ね合わさり密着するので気密性を上げることができる。また、帯片を設けることで板体を堅牢にでき、別途補強部材を設ける必要が無くなる。また、取付片は夫々の板体に平行に配置されるため、収納する機器を取り付けたり、機器を収納する棚を設ける際便利である。
【０００８】
請求項３の発明は、請求項２に記載の発明において、板体同士を連結する際に弾性及び防水性を有する帯状弾性体を帯片と帯片の間に介在させることを特徴とする。
この構成により、箱本体に防水性を持たせることができ、野外での設置も可能となる。
【０００９】
請求項４の発明は、請求項１乃至３の何れかに記載の何れかに記載の発明において、連結片を板体の４隅に形成して成ることを特徴とする。
この構成により、板体の隅部、即ち箱本体の隅部で連結するので、挟持手段が収納する電気機器の邪魔にならない。
【００１０】
請求項５の発明は、請求項４に記載の発明において、背板の４隅を連結する挟持手段は、３方に挟持部を備えた３叉構造を成し、同時に３枚の板体が連結可能であることを特徴とする。
この構成により、１個の部材で３枚の板体を連結でき、３枚の板体を同時に連結でき連結作業を更に簡易化できる。そして、３枚の板体を１つの部材で連結するので、箱体の捻り強度を上げることができる。
【発明の効果】
【００１１】
本発明によれば、ネジ等の螺着手段を使用することなく挟持手段による挟持操作のみで箱本体を組み立てることができ、組み立てが容易である。また、背板や側板等の板体を同一の構成にできるので板体の共通化を図ることができ、部材の種類を削減できるし、ネジ等を使用しないので容易に分解可能に構成できる。
更に、帯片を設けることで、箱体を作製する際、帯片同士が重ね合わさり密着するので気密性を上げることができる。また、帯片を設けることで板体を堅牢にでき、別途補強部材を設ける必要が無くなる。また、取付片は夫々の板体に平行に配置されるため、収納する機器を取り付けたり、機器を収納する棚を設ける際便利である。
【発明を実施するための最良の形態】
【００１２】
以下、本発明を具体化した実施の形態を、図面に基づいて詳細に説明する。図１は本発明に係る電気機器収納箱の一例を示す分解斜視図であり、２は背板、３は左側板、４は右側板、５は底板、６は天板であり、これらの各板体１は同一構造で形成されている。また、７は板体１を連結する固定具（挟持手段）を示している。但し、背板２を隣接する２枚の板体１に連結する図１に示す固定具７の場合、３つの固定具を一体化した３叉状固定具７ａを使用している。
【００１３】
板体１は略四角形の鋼板の４辺を折り曲げて形成され、４辺全てに１３５度折り曲げて形成したほぼ一様な幅を有する帯片１０が夫々設けられている。そして、その先端には更に４５度折り曲げて取付片１１が形成され、この取付片は収容する機器を取り付ける際に利用される。
板体１の端部でもある帯片１０の両端部は、板体１同士を連結するために固定具７に挟持される連結片１２として形成され、帯片１０と連結片１２は連続形成されている。
【００１４】
また、帯片１０は、箱本体を組み立てる際に隣接する板体１との間に隙間が発生しないように均一な面で全周に亘り一様に形成され、板体１の直交する帯片１０同士は溶接して連結されている。
具体的に、各部の寸法の一例を示すと、帯片１０の幅は略６０ｍｍ、取付片１１の幅は略１５ｍｍ、連結片は１００ｍｍ程度の幅を設けて形成されている。尚、この寸法の場合、板体１の厚みは約４２ｍｍとなり、箱本体を構成する５枚の板体を重ね合わせても２１０ｍｍ程度となる。
【００１５】
図２（ａ）は固定具７の斜視図、図２（ｂ）は固定具７を装着した板体連結部の断面図を示している。図２において、１４は帯状弾性体としてのパッキンであり、板体同士はパッキン１４を介して帯片１０を重ね合わせて連結されている。パッキン１４は、弾性及び防水性を備えたゴム板が使用され、帯片１０の全長に亘り配置されている。
【００１６】
そして、固定具７は断面Ｕ字状に形成された合成樹脂成形体であり、スリット状の開口部１５を先端に有し、開口部１５に連続して内部に挟持空間１５ａが形成されている。開口部１５は、爪片１６が対向配置されて形成され、開口部１５の表側周囲には開口部１５に向けて傾斜形成された案内面１７を有し、連結片１２の挿入操作をし易くし、２枚重ねた連結片１２を挿入して把持するよう形成されている。尚、開口部１５は、２枚の連結片１２，１２とパッキン１４を合わせた厚みより僅かに狭くなるよう形成されている。
【００１７】
一方、対応する連結片１２は、図２（ｂ）に示すように先端部を板体１の内側に折り返した折り返し片１８が設けられ、その端部が把持操作した固定具７の爪片１６に係止して固定具７の抜けを防止する係止段部１８ａを構成している。
【００１８】
固定具７及び連結片１２をこのように形成することで、パッキン１４の弾性と合成樹脂製の固定具７の有する弾性、及び固定具７の開口部１５周囲に設けた案内面１７により、２枚の連結片１２，１２とパッキン１４を合わせた連結部をスムーズに開口部１５に挿入できる。そして、挿入後は折り返して形成された係止段部１８ａの作用で固定具７が抜けるようなことがない。こうして、固定具７は重ね合わせた連結片１２を良好に挟持する。
【００１９】
図３は、図１に示す３叉状固定具７ａの拡大図を示している。この３叉状固定具７ａは上述する固定具７を３個連結した構成を有し、３枚の板体１の連結部にはこのような固定具を使用すると便利である。この３叉状固定具を使用することで、１個の部材で背板２を含む３枚の板体を同時に連結でき、連結作業が容易になるし３枚の板体を１つの部材で連結するので、箱体の捻り強度を上げることができる。
【００２０】
このように、固定具のみで各板体を連結するので、ネジ等の螺着手段を使用することなく箱本体を組み立てることができ、組み立てが容易である。また、背板や側板等の板体を同一の構成にできるので板体の共通化を図ることができ、部材の種類を削減できる。
更に、箱体を作製する際、帯片同士が重ね合わさり密着するので気密性を上げることができるし、帯片を設けることで板体を堅牢にでき、別途補強部材を設ける必要が無くなる。また、取付片は夫々の板体に平行に配置されるため、収納する機器を取り付けたり、機器を収納する棚を設ける際便利である。
また、連結部に帯状弾性体を介在させるので、箱本体に防水性を持たせることができ、野外での設置も可能となるし、板体の隅部即ち箱本体の隅部で連結するので、挟持手段が収納する電気機器の邪魔にならない。
【００２１】
尚、上記箱本体の前面開口部に設ける扉は、箱本体を構成する板体１と同様に側板３，４、底板５、天板６と接する各辺には、上記帯片１０と同様に１３５度折り返した帯片を設けることで、気密性を保持する箱体を形成できる。
また、板体１の端部同士を固定具７で連結する構成となっているが、固定具７の装着部位は多いほど或いは装着面積が大きいほど堅牢な連結が可能であり、板体１の端部に加えて各辺の中央部に設けても良いし、取付片１１を無くして帯片１０全体を連結片１２としても良い。
また、連結片１２に係止段部１８ａを設けて固定具７の抜け防止を図っているが、係止段部１８ａを設けずに固定具７を抜き取り可能な構成にしても良く、この場合分解しやすくリサイクルが容易となる。
【図面の簡単な説明】
【００２２】
【図１】本発明に係る電気機器収納箱の実施形態の一例を示す分解斜視図である。
【図２】固定具の説明図であり、（ａ）は斜視図、（ｂ）は装着した状態の断面説明図を示している。
【図３】背板周囲を固定する３叉状固定具の外観図である。
【符号の説明】
【００２３】
１・・板体、２・・背板、３・・左側板、４・・右側板、５・・底板、６・・天板、７・・固定具（挟持手段）、１０・・帯片、１１・・取付片、１２・・連結片、１４・・パッキン（帯状弾性体）。
【図１】
2007158014.tif 000003
【図２】
2007158014.tif 000004
【図３】
2007158014.tif 000005